(57)【要約】【課題】走査線ピッチの調整に際して光源ユニットを回転させる際に、光源ユニットの光軸位置が変動するのを抑制することを課題とする。【解決手段】偏向器を支持する光学ハウジングに支持された光源ユニット１０１内に配列されたＶＣＳＥＬ上の複数の発光部から照射される複数の走査光を、当該複数の発光部の配列方向に傾斜する方向（主走査方向）へ偏向器によって偏向することにより、当該複数の走査光で感光体ドラムの外周面を走査する光走査装置において、光学ハウジングは、光源ユニットから照射される走査光の光軸に平行な回転軸（Ｘ軸）回りに光源ユニットが回転可能なように光源ユニットの被支持部Ａ−１，Ａ−２に光学ハウジングのＶ字凹部４０１上の２箇所Ｅ−１，Ｅ−２を当接させて、光源ユニットを支持する。【選択図】図８
2014134752.tif 000002
【特許請求の範囲】
【請求項１】
所定の方向に配列された複数の発光部を内部に備える光源装置と、
上記複数の発光部から照射される複数の走査光を、該複数の発光部の配列方向に傾斜する方向へ偏向する光偏向手段と、
上記光偏向手段及び上記光源装置を支持する光源支持体とを有し、
上記光偏向手段によって偏向された複数の走査光で被走査面を走査する光走査装置において、
上記光源支持体は、上記光源装置から照射される走査光の光軸に平行な回転軸回りに該光源装置が回転可能なように該光源装置の被支持部に該光源支持体の支持部上の２箇所を当接させて、該光源装置を支持することを特徴とする光走査装置。
【請求項２】
請求項１の光走査装置において、
上記光源装置の上記被支持部は、上記回転軸に直交する断面の外形形状が、該回転軸を中心とした円周の一部である部分円弧形状であることを特徴とする光走査装置。
【請求項３】
請求項２の光走査装置において、
上記光源支持体の支持部は、上記回転軸に直交する断面上で上記光源装置の上記被支持部に対して上記２箇所で点接触する形状を有することを特徴とする光走査装置。
【請求項４】
請求項１乃至３のいずれか１項に記載の光走査装置において、
上記光源装置の被支持部に上記光源支持体の支持部上の２箇所を当接させた状態で該光源装置を上記回転軸回りに回転させて該光源装置の回転位置を調整する回転位置調整手段を有することを特徴とする光走査装置。
【請求項５】
請求項４の光走査装置において、
上記回転位置調整手段は、上記回転軸回りに上記光源装置を回転させる向きに該光源装置を付勢する回転方向付勢部材と、該光源装置に当接して該回転方向付勢部材による該光源装置の回転を規制するとともに該回転軸回りに変位して該光源装置の回転位置を調整する回転規制調整部材とから構成されており、
上記回転方向付勢部材の付勢力が上記光源装置に作用する地点と上記回転軸との距離が、上記回転規制調整部材が該光源装置に当接する地点と該回転軸との距離と略等しいことを特徴とする光走査装置。
【請求項６】
請求項４又は５の光走査装置において、
上記回転位置調整手段は、上記回転軸回りに上記光源装置を回転させる向きに該光源装置を付勢する回転方向付勢部材と、該光源装置に当接して該回転方向付勢部材による該光源装置の回転を規制するとともに該回転軸回りに変位して該光源装置の回転位置を調整する回転規制調整部材とから構成されており、
上記回転方向付勢部材の付勢力が上記光源装置に作用する地点と上記回転規制調整部材が該光源装置に当接する地点とが、上記回転軸に対して直交する仮想面上に位置するように、構成されていることを特徴とする光走査装置。
【請求項７】
請求項１乃至６のいずれか１項に記載の光走査装置において、
上記光源支持体は、上記２箇所を結ぶ軸を回転中心として上記光源装置が回転するのを規制するように、該光源装置の他の被支持部に該光源支持体の他の支持部を当接させて該光源装置を支持することを特徴とする光走査装置。
【請求項８】
請求項７の光走査装置において、
上記光源装置における上記他の被支持部は、上記回転軸に直交する断面の外形形状が、上記回転軸を中心とした円周の一部である部分円弧形状であることを特徴とする光走査装置。
【請求項９】
請求項８の光走査装置において、
上記光源装置における上記他の被支持部の外形形状は、上記回転軸と略同軸の円筒軸を持った円筒形状の周方向一部分、又は、上記回転軸と略同軸の円錐軸を持った円錐形状の周方向一部分で構成されていることを特徴とする光走査装置。
【請求項１０】
請求項８又は９の光走査装置において、
上記光源支持体における上記他の支持部は、上記回転軸に直交する断面の外形形状が、上記光源装置における上記他の被支持部の部分円弧形状と略同一の部分円弧形状をもった凹部で構成されていることを特徴とする光走査装置。
【請求項１１】
請求項１０の光走査装置において、
上記光源支持体における上記他の支持部の凹部は、その部分円弧形状が上記回転軸と同軸円の部分円弧形状であることを特徴とする光走査装置。
【請求項１２】
請求項７乃至１１のいずれか１項に記載の光走査装置において、
上記光源装置の被支持部に上記光源支持体の支持部上の２箇所を当接させた状態で該光源装置を上記回転軸回りに回転させて該光源装置の回転位置を調整する回転位置調整手段を有し、
上記回転位置調整手段は、上記回転軸回りに上記光源装置を回転させる向きに該光源装置を付勢する回転方向付勢部材と、該光源装置に当接して該回転方向付勢部材による該光源装置の回転を規制するとともに該回転軸回りに変位して該光源装置の回転位置を調整する回転規制調整部材とから構成されており、
上記回転方向付勢部材の付勢力が上記光源装置に作用する地点と上記回転規制調整部材が該光源装置に当接する地点は、いずれも、該光源装置の上記被支持部と上記他の被支持部との間に位置するように、構成されていることを特徴とする光走査装置。
【請求項１３】
請求項７乃至１１のいずれか１項に記載の光走査装置において、
上記光源装置の被支持部を上記光源支持体の支持部に当接させる方向へ該光源装置を付勢する当接方向付勢部材を有し、
上記当接方向付勢部材の付勢力が上記光源装置に作用する地点の回転軸方向位置が、該光源装置の上記被支持部と上記他の被支持部との間に位置するように、構成されていることを特徴とする光走査装置。
【請求項１４】
請求項１乃至１３のいずれか１項に記載の光走査装置において、
上記光源支持体に対する上記光源装置の回転軸方向位置を位置決めする該光源支持体の回転軸方向位置基準部に対し、該光源装置の被回転軸方向位置基準部を当接させる方向へ該光源装置を付勢する回転軸方向付勢部材を有し、
上記回転軸方向付勢部材の回転軸方向への付勢力が上記光源装置に作用する地点が、上記光偏向手段によって偏向される走査光によって形成される主走査面上に位置するように、構成されていることを特徴とする光走査装置。
【請求項１５】
請求項１乃至１４のいずれか１項に記載の光走査装置において、
上記光源支持体に対する上記光源装置の回転軸方向位置を位置決めする該光源支持体の回転軸方向位置基準部に対し、該光源装置の被回転軸方向位置基準部を当接させる方向へ該光源装置を付勢する複数の回転軸方向付勢部材を有し、
上記複数の回転軸方向付勢部材の回転軸方向への付勢力が上記光源装置に作用することで該光源装置に生じる回転モーメントが実質的にゼロとなるように、構成されていることを特徴とする光走査装置。
【請求項１６】
請求項１乃至１５のいずれか１項に記載の光走査装置において、
上記光源装置の被支持部を上記光源支持体の支持部に当接させる方向へ該光源装置を付勢する当接方向付勢部材を有し、
上記当接方向付勢部材の付勢力が上記光源装置に作用する地点が、上記光偏向手段によって偏向される走査光によって形成される主走査面に対して直交しかつ上記回転軸を含むように規定される副走査面上に位置するように、構成されていることを特徴とする光走査装置。
【請求項１７】
請求項１乃至１６のいずれか１項に記載の光走査装置において、
上記光源支持体に対する上記光源装置を位置決めする該光源支持体の複数の基準部に対して各基準部に対応する該光源装置の被基準部を当接させる方向へ該光源装置を付勢する複数の付勢部材を一体的に支持する共通支持部材を有することを特徴とする光走査装置。
【請求項１８】
画像情報に応じた走査光で光走査装置により感光体を走査して該感光体上に潜像を形成し、該潜像を現像することにより得た画像を最終的に記録材上に転移させて該記録材上に画像を形成する画像形成装置において、
上記光走査装置として、請求項１乃至１７のいずれか１項に記載の光走査装置を用いることを特徴とする画像形成装置。
【発明の詳細な説明】
【技術分野】
【０００１】
本発明は、光源装置内に配列された複数の発光部から照射される複数の走査光を回転多面鏡（ポリゴンミラー）等の光偏向手段によって偏向することにより、これらの走査光で被走査面を走査する光走査装置、及び、これを用いるプリンタ、複写機、ファクシミリ等の画像形成装置に関するものである。
【背景技術】
【０００２】
この種の光走査装置は、例えば、電子写真方式の画像形成装置における感光体の表面に潜像を形成する潜像形成手段として利用されるものが知られている。このような画像形成装置は、通常、光走査装置により画像情報に応じた走査光で感光体を走査して形成された潜像を現像することにより得られる画像を、最終的に記録材上に転移させる。光走査装置に搭載される光源装置には、近年、ＬＤ（Laser Diode）アレイや、垂直共振器面発光型レーザ（Vertical Cavity Surface Emitting Laser：ＶＣＳＥＬ）などのように、複数の発光部が配列された光源が使用され、発光部の多チャンネル化に伴う高品質化、高画質化が進んでいる。
【０００３】
特許文献１には、同一基板上に３２個の発光部が２次元的（８個×４列）に配列されている面発光レーザアレイを備えた光源ユニット（光源装置）を有する光走査装置が開示されている。この光走査装置は、当該３２個の発光部の光軸と平行でその配列中心を通る軸が回転軸となるように、光源ユニットが光学ハウジング（光源支持体）に対して回転可能に支持されている。具体的には、光軸方向に突出した光源ユニットの円筒状嵌合部を、光学ハウジングに形成された断面円形の円形嵌合孔に挿入することにより、光源ユニットが光学ハウジングに対して回転可能に支持されている。
【０００４】
この光走査装置では、上記回転軸を中心に光源ユニットを回転させることで、各発光部の配列方向と主走査方向との傾斜角度が変わり、副走査方向における各発光部間の走査線間隔（走査線ピッチ）を変更することができる。したがって、光源ユニットの回転角度を調整することで、走査線ピッチを調整することができる。
【発明の概要】
【発明が解決しようとする課題】
【０００５】
光源ユニットの回転角度を調整して走査線ピッチを調整する光走査装置においては、一般に、上記特許文献１に開示の光走査装置のように、光源装置の円筒状嵌合部を光源支持体の円形嵌合孔に挿入する構成が採用される。このような構成においては、光源装置の光軸（上記回転軸）の位置決め基準が、光源装置の円筒状嵌合部に当接する光源支持体の円形嵌合孔の内壁の一箇所となる。しかしながら、光源装置の円筒状嵌合部と光源支持体の円形嵌合孔との間には、両者を嵌合させるためのガタつきが存在するため、走査線ピッチの調整に際して光源装置を回転させるときに、光源装置の光軸位置がズレることがある。その結果、走査線ピッチに粗密が生じ、走査線ピッチの適正な調整が困難となるという問題があった。走査線ピッチに粗密があると、画像形成装置においては、画像上に副走査方向における周期的な濃度ムラ（バンディング）が発生する。
【０００６】
以下、上記問題について、図面を用いて詳しく説明する。なお、以下の説明では、主走査方向をＹ軸とし、副走査方向をＺ軸とし、これらの軸に直交する軸をＸ軸とする。
図１１は、光源装置内に配列される複数の発光部が配列された光源の一例を示す説明図である。なお、図１１は、ＶＣＳＥＬの基板面を正面から見た図である。
本例は、４×４個の発光部を備えたＶＣＳＥＬを用いた例であり、一度の走査によって１６本の走査線を引くことが可能な構成である。この光源装置は、４×４個の発光部ｃｈ１〜ｃｈ１６の配列中心Ｐを回転軸として回転可能な構成となっている。以下、各発光部ｃｈ１〜ｃｈ１６の光軸と平行な配列中心Ｐを通る軸を、当該光源装置の光軸とする。
【０００７】
図１２は、走査線ピッチが未だ調整されていない状態を示す説明図である。
走査線ピッチが未調整の状態である場合、副走査方向（図中上下方向）における各発光部ｃｈ１〜ｃｈ１６間の走査線間隔（すなわち走査線ピッチ）は、同一列内の発光部間における走査線間隔である短いピッチｄ２と、隣り合う列間における発光部の走査線間隔である長いピッチｄ３とが混在した状態になっている。この場合、感光体等の被走査面上では、図１３に示すように、走査線ピッチが不均一であり、走査線ピッチに粗密が生じる。
【０００８】
図１４は、走査線ピッチが適正に調整された状態を示す説明図である。
図１２に示す状態から図中時計回り方向γに光源装置を回転させていくと、同一列内の発光部間における走査線間隔は徐々に広がる一方、隣り合う列間における発光部の走査線間隔は徐々に狭くなる。そして、光源装置の回転角度を適正に調整することで、図１５に示すように、すべての走査線間隔（走査線ピッチ）ｄ１を均一にすることができる。なお、実際には、発光部ｃｈ１〜ｃｈ１６の位置精度に製造誤差が存在するなどの理由で、完全に等間隔になることは無いことは言うまでもない。
【０００９】
図１６は、光源装置の円筒状嵌合部を光源支持体の円形嵌合孔に嵌合させて光源装置を回転可能に支持する構成において発生する光軸位置のズレを説明するための説明図である。なお、図１６中符号Ｐ２は、光源支持体の円形嵌合孔の中心を示している。
光源装置の円筒状嵌合部を光源支持体の円形嵌合孔に嵌合させた構成では、上述したように、ガタつきの存在によって、光源装置の光軸の位置決め基準が光源装置の円筒状嵌合部に当接する光源支持体の円形嵌合孔の内壁の一箇所となる。例えば、光源装置の円筒状嵌合部が図１６中の実線で示す状態で嵌合している場合、その円筒状嵌合部は地点Ｈ１で光源支持体の円形嵌合孔の内壁に当接する。この場合、この当接地点Ｈ１を基準に位置決めされる光源装置の光軸位置は、図中符号Ｐ１−１に示す位置となる。
【００１０】
一方、光源装置を回転させると、その円筒状嵌合部と円形嵌合孔との当接地点が変化し、例えば、図１６中地点Ｈ２で円筒状嵌合部が円形嵌合孔の内壁に当接した状態になる。この場合、この当接地点Ｈ２を基準に位置決めされる光源装置の光軸位置は、図中符号Ｐ１−２に示す位置となる。このように、走査線ピッチの調整に際して光源装置を回転させると光源装置の光軸位置が変動してしまうので、図１４及び図１５に示したように、走査線ピッチを均等に調整することが困難である。
【００１１】
本発明は、上記問題に鑑みなされたものであり、その目的とするところは、走査線ピッチの調整に際して光源装置を回転させる際に光源装置の光軸位置が変動するのを抑制することができる光走査装置及びこれを用いた画像形成装置を提供することである。
【課題を解決するための手段】
【００１２】
上記目的を達成するために、本発明は、所定の方向に配列された複数の発光部を内部に備える光源装置と、上記複数の発光部から照射される複数の走査光を、該複数の発光部の配列方向に傾斜する方向へ偏向する光偏向手段と、上記光偏向手段及び上記光源装置を支持する光源支持体とを有し、上記光偏向手段によって偏向された複数の走査光で被走査面を走査する光走査装置において、上記光源支持体は、上記光源装置から照射される走査光の光軸に平行な回転軸回りに該光源装置が回転可能なように該光源装置の被支持部に該光源支持体の支持部上の２箇所を当接させて、該光源装置を支持することを特徴とする。
【発明の効果】
【００１３】
本発明においては、光源装置から照射される走査光の光軸に平行な回転軸回りに光源装置を回転させても、光源装置の被支持部に当接する光源支持体の支持部上の当接箇所が上記２箇所で安定する。したがって、本発明によれば、走査線ピッチの調整に際して光源装置を回転させる際に光源装置の光軸位置が変動するのを抑制することができるという優れた効果が得られる。
【図面の簡単な説明】
【００１４】
【図１】実施形態に係るカラープリンタの主要構成を示す模式図である。
【図２】同カラープリンタにおける光走査装置であるＢｋ−Ｃユニットの入射光学系のレイアウトを示す模式図である。
【図３】同入射光学系におけるプリズムビームスプリッタの説明図である。
【図４】同Ｂｋ−Ｃユニットの走査光学系のレイアウトを示す模式図である。
【図５】同Ｂｋ−Ｃユニットにおける回転多面鏡の回転軸方向から見た偏向器の構成を示す模式図である。
【図６】同Ｂｋ−Ｃユニットにおける光源ユニットを下側から見た斜視図である。
【図７】同光源ユニット内における光路を上側から見た模式図である。
【図８】同光源ユニットの光源ホルダとこれを支持する光学ハウジングとを、光源ユニットの光軸に直交する面に沿って、光源ユニット上の被支持部Ａ−１，Ａ−２を通るように切断した断面図である。
【図９】同光源ユニットの光源ホルダとこれを支持する光学ハウジングとを、光源ユニットの光軸に直交する面に沿って、光源ユニット上の被支持部Ｂを通るように切断した断面図である。
【図１０】同光源ユニットを同光学ハウジングに固定するための固定部材を示す斜視図である。
【図１１】同光源ユニットとして利用可能な光源装置内に配列される複数の発光部が配列された光源の一例を示す説明図である。
【図１２】走査線ピッチが未だ調整されていない状態の光源を示す説明図である。
【図１３】走査線ピッチが未だ調整されていない状態における感光体等の被走査面上の走査線ピッチを示す説明図である。
【図１４】走査線ピッチが適正に調整された状態を示す説明図である。
【図１５】走査線ピッチが適正に調整された状態における感光体等の被走査面上の走査線ピッチを示す説明図である。
【図１６】光源装置の円筒状嵌合部を光源支持体の円形嵌合孔に嵌合させて光源装置を回転可能に支持する従来構成において発生する光軸位置のズレを説明するための説明図である。
【図１７】変形例における光源ユニットを、光軸及びＺ軸の両方に平行な断面で切断したときの断面図である。
【図１８】同光源ユニットをレーザ光の射出側から見た正面図である。
【図１９】同光源ユニットの下面図である。
【発明を実施するための形態】
【００１５】
以下、本発明に係る光走査装置を用いた画像形成装置としてのカラープリンタの一実施形態について説明する。
図１は、本実施形態に係るカラープリンタ５００の主要構成を示す模式図である。
このカラープリンタ５００は、ブラック、シアン、マゼンタ、イエローの４色のトナー像を互いに重ね合わせることにより、フルカラー画像を形成することができるタンデム方式の多色カラープリンタである。このカラープリンタ５００は、光走査装置１００、４つの感光体ドラム５０１，５０２，５０３，５０４、４つのクリーニングユニット６０５Ｙ，６０５Ｍ，６０５Ｃ，６０５Ｂｋ、４つの帯電装置６０２Ｙ，６０２Ｍ，６０２Ｃ，６０２Ｂｋ、４つの現像ローラ６０３Ｙ，６０３Ｍ，６０３Ｃ，６０３Ｂｋ、４つの現像装置６０４Ｙ，６０４Ｍ，６０４Ｃ，６０４Ｂｋ、中間転写体である中間転写ベルト６０６、二次転写ローラ６１３、定着装置６１０、給紙コロ６０８、レジストローラ対６０９、排紙ローラ６１２、排紙トレイ６１１などを備えている。
【００１６】
感光体ドラム５０１、クリーニングユニット６０５Ｙ、帯電装置６０２Ｙ、現像ローラ６０３Ｙ、現像装置６０４Ｙは、イエロー画像を形成する画像ステーション（以下「Ｙステーション」という。）を構成する。感光体ドラム５０２、クリーニングユニット６０５Ｍ、帯電装置６０２Ｍ、現像ローラ６０３Ｍ、現像装置６０４Ｍは、マゼンタ画像を形成する画像ステーション（以下「Ｍステーション」という。）を構成する。感光体ドラム５０３、クリーニングユニット６０５Ｃ、帯電装置６０２Ｃ、現像ローラ６０３Ｃ、現像装置６０４Ｃは、シアン画像を形成する画像ステーション（以下「Ｃステーション」という。）を構成する。感光体ドラム５０４、クリーニングユニット６０５Ｂｋ、帯電装置６０２Ｂｋ、現像ローラ６０３Ｂｋ、現像装置６０４Ｂｋは、ブラック画像を形成する画像ステーション（以下「Ｋステーション」という。）を構成する。
【００１７】
各感光体ドラム５０１，５０２，５０３，５０４は、いずれも、その周面に感光層を備えており、不図示の回転機構によって図１中矢印方向へ回転駆動する。各帯電装置６０２Ｙ，６０２Ｍ，６０２Ｃ，６０２Ｂｋは、対応する感光体ドラム５０１，５０２，５０３，５０４の表面を一様に帯電させる。
【００１８】
光走査装置１００は、イエロー用感光体ドラム５０１及びマゼンタ用感光体ドラム５０２を露光走査するＭ−Ｙユニット１００Ａと、シアン用感光体ドラム５０３及びブラック用感光体ドラム５０４を露光走査するＢｋ−Ｃユニット１００Ｂとから構成されている。光走査装置１００は、各々対応する感光体ドラム表面を被走査面として、画像情報に基づいた点灯制御で走査光を照射し、感光体ドラム表面に静電潜像を形成する。ここで形成された静電潜像は、感光体ドラム５０１，５０２，５０３，５０４の回転に伴って、現像装置６０４Ｙ，６０４Ｍ，６０４Ｃ，６０４Ｂｋの現像ローラと対向する現像領域へ搬送される。
【００１９】
各現像装置６０４Ｙ，６０４Ｍ，６０４Ｃ，６０４Ｂｋには、帯電したトナーを担持する現像ローラが備わっている。現像ローラには所定の現像バイアスが印加されており、これにより形成される現像電界の作用によって、現像ローラ上のトナーが感光体ドラム上の静電潜像へ付着する。これにより、感光体ドラム５０１，５０２，５０３，５０４上には、トナーが付着した像（以下「トナー画像」という。）が形成される。
【００２０】
このようにして形成されたトナー画像は、感光体ドラム５０１，５０２，５０３，５０４の回転に伴って中間転写ベルト６０６と対向する一次転写領域へ搬送される。そして、各感光体ドラム５０１，５０２，５０３，５０４上におけるイエロー、マゼンタ、シアン、ブラックの各トナー画像は、互いに重なり合うタイミングで中間転写ベルト６０６上に順次一次転写され、これにより中間転写ベルト６０６上に多色のカラー画像が形成される。各クリーニングユニット６０５Ｙ，６０５Ｍ，６０５Ｃ，６０５Ｂｋは、対応する感光体ドラム５０１，５０２，５０３，５０４の表面に転写されずに残った転写残トナーを除去する。
【００２１】
一方、記録材である記録紙５１０は、給紙コロ６０８によって１枚ずつレジストローラ対６０９へ搬送する。レジストローラ対６０９は、所定のタイミングで記録紙５１０を中間転写ベルト６０６と二次転写ローラ６１３とが対向する二次転写領域へ送る。この二次転写領域において、中間転写ベルト６０６上の多色のトナー画像が記録紙５１０に二次転写される。多色のトナー画像が転写された記録紙５１０は、その後、定着装置６１０に送られる。定着装置６１０は、熱と圧力により記録紙５１０上のトナー画像を記録紙に定着させる。定着後の記録紙５１０は、排紙ローラ６１２を介して排紙トレイ６１１上に排紙される。
【００２２】
次に、光走査装置１００の構成及び動作について説明する。
光走査装置１００を構成するＭ−Ｙユニット１００ＡとＢｋ−Ｃユニット１００Ｂとは、その基本構成が同じであるため、以下の説明ではＢｋ−Ｃユニット１００Ｂを用いて光走査装置１００の構成及び動作を説明する。なお、以下の説明では、適宜、色分け符号であるＹ、Ｍ、Ｃ、Ｂｋを省略する。
【００２３】
図２は、Ｂｋ−Ｃユニット１００Ｂの入射光学系のレイアウトを示す模式図である。
光源装置である光源ユニット１０１は、直線偏光にてレーザ光を射出する光源１０２と、光源１０２から射出されたレーザ光を円偏光に変換する１／４波長板１０５と、１／４波長板１０５で円偏光に変換されたレーザ光を平行光にするコリメートレンズ１０６と、コリメートレンズ１０６で平行化されたレーザ光を切り取るアパーチャ１０７とから構成されている。これらの光学部品１０２，１０５，１０６，１０７は、後述する光源ホルダ１０３（図６や図７等を参照）に対して、所定の位置に位置決めされて一体的に組み付けられている。光源ユニット１０１から射出されるレーザ光は、入射光学系を介して、光偏向手段としての偏向器２０２へ入射する。
【００２４】
入射光学系は、光源ユニット１０１から射出されたレーザ光を副走査方向（図２中紙面前後方向）で２つに分割するプリズムビームスプリッタ（ＰＢＳ）２０３と、２つに分割されたレーザ光Ｌ１，Ｌ２の偏光特性を直線偏光から円偏光に変換する１／４波長板２０４と、円偏光に変換された各レーザ光Ｌ１，Ｌ２を、偏向器２０２に搭載される２つの回転多面鏡２０２ａ，２０２ｂのミラー面上で結像させるシリンドリカルレンズ２０５とを有している。シリンドリカルレンズ２０５は、円偏光に変換されたレーザ光を副走査方向についてのみ集光機能を持っている。
【００２５】
このような入射光学系によって所定のレーザプロファイルに形成された各レーザ光Ｌ１，Ｌ２は、偏向器２０２の各回転多面鏡２０２ａ，２０２ｂのミラー面上にそれぞれ結像される。偏向器２０２は、副走査方向に平行な回転軸を中心に回転多面鏡２０２ａ，２０２ｂを一体的に所定の回転数で安定駆動させている。このように回転している回転多面鏡２０２ａ，２０２ｂのミラー面にレーザ光Ｌ１，Ｌ２が入射することで、図２に示すように、レーザ光Ｌ１，Ｌ２が主走査方向へ走査される。
【００２６】
図３は、プリズムビームスプリッタ２０３の説明図である。
光源ユニット１０１から射出されるレーザ光Ｌ０は、光源ユニット１０１内の１／４波長板１０５によって直線偏光から円偏光に変換されている。このように円偏光特性をもつレーザ光Ｌ０は、偏向ビームスプリッタ２０３の偏光分離面に到達すると、円偏光の偏光成分のうち、回転多面鏡２０２ａ，２０２ｂのミラー面に対する入射面に垂直な成分（ｓ偏光成分）のみが偏光分離面を透過し、ｓ偏光成分のみのレーザ光Ｌ２が下段回転多面鏡２０２ｂへ向かう。一方、円偏光の偏光成分のうち、回転多面鏡２０２ａ，２０２ｂのミラー面に対する入射面に平行な成分（ｐ偏光成分）は、偏光分離面で反射される。その後、ｐ偏光成分のみのレーザ光Ｌ１は、偏向ビームスプリッタ２０３の反射面で反射され、上段回転多面鏡２０２ａに向かう。この時点で、分離された２つのレーザ光Ｌ１，Ｌ２は、それぞれ、異なる偏光特性を有するものとなっているが、その後、各レーザ光Ｌ１，Ｌ２は、１／４波長板２０４により再度円偏光に変換される。
【００２７】
図４は、Ｂｋ−Ｃユニット１００Ｂの走査光学系のレイアウトを示す模式図である。
偏向器２０２によって走査されたレーザ光のうちの一方のレーザ光Ｌ１（上段回転多面鏡２０２ａのミラー面で走査されたレーザ光）は、第１出射レンズ３０１及び第２出射レンズ３０２を経て、防塵ガラス３０５を透過して、感光体ドラム５０４の表面で等速走査される。この光路上には、レーザ光Ｌ１を折り返すためのミラー３０３ａ，３０３ｂ，３０３ｃが設置されている。また、他方のレーザ光Ｌ２（下段回転多面鏡２０２ｂのミラー面で走査されたレーザ光）は、第１出射レンズ３０１及び第２出射レンズ３０２を経て、防塵ガラス３０５を透過して、感光体ドラム５０４の表面で等速走査される。この光路上には、レーザ光Ｌ２を折り返すためのミラー３０４が設置されている。
【００２８】
上述した入射光学系、偏向器２０２及び走査光学系は、いずれも、光源支持体としての図４に示す光学ハウジング４００に一体的に固定されており、光走査装置としての特性が確保されている。
【００２９】
図５は、回転多面鏡２０２ａ，２０２ｂの回転軸方向から見た偏向器２０２の構成を示す模式図である。
偏向器２０２において、２つの回転多面鏡２０２ａ，２０２ｂは、一体的な形状であり、モータ基板２０２Ｃ上に組みつけられる。回転多面鏡２０２ａ，２０２ｂは、それぞれ４面のミラー面をもっており、上段回転多面鏡２０２ａのミラー面と下段回転多面鏡２０２ｂのミラー面とは、回転方向に角度θだけずれるように配置されている。本実施形態では、θ＝４５°となっている。上段回転多面鏡２０２ａは、感光体ドラム５０４の走査に用いられ、下段回転多面鏡２０２ｂは感光体ドラム５０３の走査に用いられるが、上記のような配置によって幾何的に同時に走査することがない。
【００３０】
図６は、光源ユニット１０１を下側から見た斜視図である。
図７は、光源ユニット１０１内における光路を上側から見た模式図である。
以下の説明においては、便宜上、レーザ光が射出される方向（光軸方向）をＸ軸とし、主走査方向をＹ軸とし、副走査方向をＺ軸とする。光源ユニット１０１は、光源１０２、１／４波長板１０５、コリメートレンズ１０６、アパーチャ１０７のほかに、射出するレーザ光の一部を切り取って発光光量をモニタリングするための光量取得手段としてのフォトダイオード１０９が備わっている。
【００３１】
レーザ変調基板１０４に実装されている光源１０２から射出されたレーザ光は、偏向器２０２に向けて射出されるレーザ光Ｌ０と、フォトダイオード１０９へ向かうレーザ光Ｌ０’とに分けられる。アパーチャ１０７は、図示しない開口部によってレーザ光Ｌ０のビームプロファイルを形成するが、その入射面側の壁面がミラー構成となっている。そのため、開口部の周辺部に到達したレーザ光は、アパーチャ１０７の入射面側壁面で反射し、ミラー１０８Ａに向かう。そして、ミラー１０８Ａで反射したレーザ光Ｌ０’は、光源ホルダ１０３に形成されている開口部Ｄを通過することによって必要なレーザ光のみを切り出された後、コリメートレンズ１０８Ｂによって集光される。その後、レーザ光Ｌ０’は、レーザ変調基板１０４に実装されているフォトダイオード１０９によって受光され、その光量が検出される。この検出結果は、図示しない光源１０２のパワー制御を行う制御部に送られ、光源１０２が射出するレーザ光のパワー調整に用いられる。
【００３２】
図８は、光源ユニット１０１の光源ホルダ１０３とこれを支持する光学ハウジング４００とを、光源ユニット１０１から射出されるレーザ光の光軸方向に直交する面に沿って、光源ユニット１０１上の被支持部Ａ−１，Ａ−２を通るように切断した断面図である。
光源ホルダ１０３上の２つの被支持部Ａ−１，Ａ−２は、図６に示す位置に配置されており、図８に示すように、光源１０２から射出されるレーザ光Ｌ０の光軸（以下、単に、光源１０２の光軸という。）に直交する面において、その光軸を中心とする仮想円Ｒの円周上に存在する部分円弧形状をとる。一方、光学ハウジング４００上には、光源１０２の光軸に直交する断面形状が、図８に示すように、Ｖ字形状であるＶ字凹部４０１が形成されている。光源ホルダ１０３上における部分円弧形状の被支持部Ａ−１，Ａ−２は、光学ハウジング４００上のＶ字凹部４０１の内壁を構成する２つの平面部Ｅ−１，Ｅ−２に対して、それぞれ、点接触で接触する。これにより、光源ホルダ１０３上の被支持部Ａ−１，Ａ−２は、光学ハウジング４００上のＶ字凹部４０１によって下側から支持される。なお、本明細書において、点接触とは、理論上の点接触とは異なり、仮想円Ｒの円周方向における接触幅が短い接触を意味するものである。
【００３３】
図９は、光源ユニット１０１の光源ホルダ１０３とこれを支持する光学ハウジング４００とを、光源ユニット１０１から射出されるレーザ光の光軸方向に直交する面に沿って、光源ユニット１０１上の被支持部Ｂを通るように切断した断面図である。
光源ホルダ１０３上の１つの被支持部Ｂは、図６に示す位置に配置されており、図９に示すように、光源１０２の光軸に直交する面において、その光軸を中心とする仮想円ｒの円周上に存在する部分円弧形状をとる。一方、光学ハウジング４００上には、光源１０２の光軸に直交する断面形状が、図９に示すように、上記仮想円ｒの円周上に存在する部分円弧形状である円弧状凹部４０２が形成されている。光源ホルダ１０３上における部分円弧形状の被支持部Ｂは、光学ハウジング４００上の円弧状凹部４０２の内壁を構成する曲面部Ｆに接触する。これにより、光源ホルダ１０３上の被支持部Ｂは、光学ハウジング４００上の円弧状凹部４０２によって下側から支持される。
【００３４】
図１０は、光源ユニット１０１を光学ハウジング４００に固定するための固定部材を示す斜視図である。
この固定部材１１０は、図６に示す光源ホルダ１０３上の５箇所の被支持部Ａ−１，Ａ−２，Ｂ，Ｃ−１，Ｃ−２を、光学ハウジング４００の対応する各支持部であるＶ字凹部４０１、円弧状凹部４０２等へ当接させるための部材である。固定部材１１０は、図示しない弾性部材であるスプリングの付勢力を受けて、光源ユニット１０１を下側へ付勢する。光源ユニット１０１は、光源ユニット１０１の光軸方向における被支持部Ａ−１及びＡ−２と被支持部Ｂとの間で、固定部材１１０からの付勢力を受ける。これにより、光源ユニット１０１の被支持部Ａ−１，Ａ−２，Ｂは、いずれも、光学ハウジング４００上のＶ字凹部４０１及び円弧状凹部４０２に安定して当接した状態が維持される。
【００３５】
このように、本実施形態においては、光源ホルダ１０３が光学ハウジング４００に３つの被支持部Ａ−１，Ａ−２，Ｂで３点支持される。これにより、光源ユニット１０１のＹ軸回りの回転動作（β回転）が規制されるとともに、Ｚ軸回りの回転動作（α回転）が規制されて、光学ハウジング４００に対して光源ユニット１０１が位置決めされる。
【００３６】
また、固定部材１１０の上面には、弾性部材である２つの板バネ１１２が組み付けられている。この板バネ１１２の自由端は、光源ユニット１０１上の被支持部Ｃ−１，Ｃ−２の裏面に当接し、板バネ１１２の付勢力によって光源ユニット１０１をＸ軸方向へ付勢する。これにより、光源ユニット１０１上の被支持部Ｃ−１，Ｃ−２が図示しない光学ハウジング４００の支持部に押し付けられ、光源ユニット１０１のＸ軸方向の位置決めがなされる。なお、光源ユニット１０１のＸ軸方向位置決め基準となるのは、光源ユニット１０１上の被支持部Ｃ−１，Ｃ−２のいずれか一方のみである。
【００３７】
また、固定部材１１０には、弾性部材であるスプリング１１４が固定されている。このスプリング１１４は、図１０に示すように、光源ユニット１０１の光軸に対して主走査方向（Ｙ軸方向）に外れた光源ホルダ１０３の箇所を下側へ付勢している。これにより、光源ユニット１０１は、その光軸を回転軸としてＸ軸回り（γ回転）に回転する付勢力を受ける。一方、固定部材１１０には、光源ユニット１０１の光軸を挟んでスプリング１１４とは反対側の位置で光源ホルダ１０３に当接して、スプリング１１４による光源ホルダ１０３のＸ軸回りの回転を阻止するγ調整ネジ１１５が設けられている。γ調整ネジ１１５は、固定部材１１０のネジ孔に取り付けられている。このγ調整ネジ１１５を締める方向に回転させると、そのγ調整ネジ１１５の端部に当接する光源ホルダ１０３の箇所を押し下げ、スプリング１１４の付勢力に抗して、光源ユニット１０１をＸ軸回りに回転させることができる。したがって、γ調整ネジ１１５の回転量を調整することで、光源ユニット１０１におけるＸ軸回りの回転角度を調整することができる（γ調整）。
【００３８】
次に、本実施形態における効果について、光源１０２が図１１に例示した４個×４個で配列された合計１６個の発光部ｃｈ１〜ｃｈ１６を有する垂直共振器面発光型レーザ（ＶＣＳＥＬ）である場合を例に挙げて説明する。
このような光源１０２を用いる場合、１６個の発光部の光軸と平行でその配列中心を通る軸Ｐを光源ユニット１０１の光軸とし、この光軸Ｐを回転軸として光源ユニット１０１を回転させて、光源ユニット１０１のγ調整を行う。このγ調整において、図１２に示す未調整状態から、図中時計回り方向（Ｘ軸回り）に光源ユニット１０１を回転させることで、図１４に示すように、１６個の発光部における副走査方向間隔を均一化させることができる。これにより、各発光部を走査することで得られる感光体ドラム上の１６本の走査線のピッチｄ１を均一化することができる。
【００３９】
本実施形態においては、γ調整の際、光源ユニット１０１のＸ軸回り（γ回転）の回転中、光源ユニット１０１の被支持部Ａ−１，Ａ−２の２箇所と光学ハウジング４００のＶ字凹部４０１との当接状態が維持される。すなわち、光源ユニット１０１の被支持部Ａ−１，Ａ−２の２箇所と光学ハウジング４００のＶ字凹部４０１との当接箇所が、光源ユニット１０１のＸ軸回り（γ回転）の回転角度によって変化することがない。したがって、γ調整のために光源ユニット１０１をＸ軸回り（γ回転）に回転させても、光源ユニット１０１の光軸位置が主走査方向や副走査方向に変位することがない。よって、光源ユニット１０１のＸ軸回り（γ回転）の回転中に光源ユニット１０１の光軸位置が変位してしまう従来構成と比較して、走査線ピッチを均一化するためのγ調整が容易となる。
【００４０】
〔変形例〕
次に、光源ユニット１０１を光学ハウジング４００に固定するための他の構成（変形例）について説明する。
図１７は、光軸Ｐ及びＺ軸の両方に平行な断面で光源ユニット１０１を切断したときの断面図である。
図１８は、光源ユニット１０１をレーザ光の射出側から見た正面図である。
図１９は、光源ユニット１０１の下面図である。
本変形例において、光源ユニット１０１を光学ハウジング４００に固定するための固定部材１１０のブラケット１１１は、光源ユニット１０１と一体的にアセンブリされており、３方向を規制する弾性部材とγ調整可能なγ調整ネジ１１５とを用いて調整保持される。
【００４１】
第１の弾性部材は、光源ユニット１０１のＸ軸方向の規制を行うもので、上記実施形態と同様、２つの板バネ（以下「第１板バネ」という。）１１２で構成されている。２つの第１板バネ１１２は、図１７に示すように、光源ユニット１０１上の被回転軸方向位置基準部である被支持部Ｃ−１，Ｃ−２の裏面に当接し、当該第１板バネ１１２の付勢力によって光源ユニット１０１をＸ軸方向へ付勢する。これにより、光源ユニット１０１上の被支持部Ｃ−１，Ｃ−２が図示しない光学ハウジング４００の回転軸方向位置基準部である支持部に押し付けられ、光源ユニット１０１のＸ軸方向の位置決めがなされる。これらの第１板バネ１１２は、図１８に示すように、回転軸（光軸Ｐ）を略中心として、主走査方向（Ｙ軸上）にそれぞれ光学ユニット１０１に付勢力を作用させる力点ＦＰ１，ＦＰ２を持つ構成となっており、２つの力点ＦＰ１，ＦＰ２は、回転軸（光軸Ｐ）を中心にそれぞれ距離Ｌ１及びＬ２だけ離れている。本変形例では、２つの第１板バネ１１２が同等の付勢力を持つので、Ｌ１≒Ｌ２の関係となるように構成し、両第１板バネ１１２の付勢力の差で光源ユニット１０１がα方向（Ｚ軸回りの回転方向）に回転することを抑制している。すなわち、２つの第１板バネ１１２の付勢力が光源ユニット１０１に作用することで光源ユニット１０１に生じる回転モーメントが実質的にゼロとなるように、構成されている。
【００４２】
また、第２の弾性部材は、図１７に示すように、光源ユニット１０１のＺ軸方向の規制を行うもので、１つの板バネ（以下「第２板バネ」という。）１１３で構成されている。この第２板バネ１１３は、図１８に示すように、光源ユニット１０１を下側へ付勢し、これにより、光源ユニット１０１の被支持部Ａ−１，Ａ−２及び被支持部Ｂを、それぞれ、光学ハウジング４００上のＶ字凹部４０１及び円弧状凹部４０２に向けて加圧する。この第２板バネ１１３の付勢力が光源ユニット１０１に作用する力点ＦＰ３は、図１７に示すように、回転軸（光軸Ｐ）を含むようにＺ軸に沿って規定される仮想面（副走査面）上に位置し、かつ、Ｘ軸方向の位置が光源ユニット１０１の被支持部Ａ−１，Ａ−２と被支持部Ｂとの間に位置するように構成されている。１つの第２板バネ１１３の付勢力で、光源ユニット１０１の被支持部Ａ−１，Ａ−２と被支持部Ｂの両方を、光学ハウジング４００のＶ字凹部４０１及び円弧状凹部４０２に当接させることができる。
【００４３】
また、第３の弾性部材は、γ調整ネジ１１５とともに光源ユニット１０１をγ調整するためのもので、上記実施形態と同様にスプリング１１４で構成してもよいが、本変形例ではゴム等で成形された弾性体ブロックを用いる。弾性体ブロック１１７の付勢力が光源ユニット１０１に作用する力点ＦＰ４は、図１８に示すように、回転軸（光軸Ｐ）から距離Ｌ３だけ離れた位置に設定されている。また、弾性体ブロック１１７とともにγ調整を行うγ調整ネジ１１５が光源ユニット１０１に作用する力点ＦＰ５は、回転軸（光軸Ｐ）から距離Ｌ４だけ離れた位置に設定されている。弾性体ブロック１１７は、ブラケット１１１の凸形状部分に取り付けられており、弾性体ブロック１１７の一端を受けるブラケット１１１の受け面を基準に、回転軸（光軸Ｐ）を中心にして光学ユニット１０１を図１８に示す円弧状矢印に沿って反時計回り方向へ付勢する。
【００４４】
弾性体ブロック１１７の付勢力による光学ユニット１０１の回転はγ調整ネジ１１５によって規制される。γ調整ネジ１１５を回すと、光源ユニット１０１と接触するγ調整ネジ１１５の下端部の位置がブラケット１１１に対して相対的に変化する。これにより、光源ユニット１０１のγ方向（Ｘ軸回りの回転方向）における回転位置を調整することができる。回転軸（光軸Ｐ）に対する弾性体ブロック１１７及びγ調整ネジ１１５の各距離Ｌ３，Ｌ４は、Ｌ３≒Ｌ４となるように配置されている。これは、回転軸（光軸Ｐ）を中心として精度よく回転調整可能にするためである。より詳しくは、これらの距離Ｌ３，Ｌ４が著しく不均一である場合、光源ユニット１０１における２つの被支持部Ａ−１，Ａ−２のどちらか一方が、光学ハウジング４００のＶ字凹部４０１から離れてしまい、光軸Ｐが理想位置からずれてしまうためである。
【００４５】
また、図１９に示すように、弾性体ブロック１１７及びγ調整ネジ１１５の各力点ＦＰ４，ＦＰ５を結ぶ仮想線は、回転軸（光軸Ｐ）に直交する仮想面とほぼ平行になるように構成されている。これは、光源ユニット１０１のα方向への回転が生じることを防止するためである。また、弾性体ブロック１１７及びγ調整ネジ１１５の各力点ＦＰ４，ＦＰ５は、第２板バネ１１２の力点ＦＰ３と同様、図１９に示すように、Ｘ軸方向の位置が光源ユニット１０１の被支持部Ａ−１，Ａ−２と被支持部Ｂとの間に位置するように構成されている。これにより、弾性体ブロック１１７及びγ調整ネジ１１５により光源ユニット１０１を下側へ付勢する力で、光源ユニット１０１の被支持部Ａ−１，Ａ−２と被支持部Ｂの両方を、光学ハウジング４００のＶ字凹部４０１及び円弧状凹部４０２に当接させることができる。
【００４６】
本変形例において、光源ユニット１０１を光学ハウジング４００に固定するための固定部材１１０は、２つの第１板バネ１１２、第２板バネ１１３、弾性体ブロック１１７及びγ調整ネジ１１５を、ブラケット１１１に一体的に保持した構成となっている。具体的には、２つの第１板バネ１１２及び第２板バネ１１３については、板金のカシメ工法による一体化、弾性体ブロック１１７はブラケット１１１に形成したバーリング穴への圧入、γ調整ネジ１１５はバーリング穴にタップ加工を施した箇所への回転挿入によって、ブラケット１１１に一体保持させる。
【００４７】
固定部材１１０にアセンブリされた光源ユニット１０１を光学ハウジング４００に取り付ける際には、光学ハウジング４００の上部から光源ユニット１０１を挿入する。そして、図１９に示すブラケット１１１の主基準穴１１６−Ａと従基準穴１１６−Ｂに光学ハウジング４００に形成された不図示の基準形状箇所を挿入させ、ネジ等の締結部材によって位置決め固定する。これにより、光源ユニット１０１は、光学ハウジング４００に固定設置され、その後、γ調整ネジ１１５を用いて光源ユニット１０１のγ調整を行う。
【００４８】
本変形例においては、光源ユニット１０１の被支持部（被基準部）Ａ−１，Ａ−２の２箇所と被支持部（被基準部）Ｂの１箇所の合計３箇所を、光学ハウジング４００のＶ字凹部（基準部）４０１及び円弧状凹部（基準部）４０２に当接させるための各種部材、具体的には、第２板バネ１１３、弾性体ブロック１１７及びγ調整ネジ１１５が共通支持部材であるブラケット１１１によって一体支持された構成となった固定部材１１０を用いている。これにより、光源ユニット１０１の光学ハウジング４００への取り付け作業が容易となる。
【００４９】
また、本変形例では、第１板バネ１１２により、光源ユニット１０１の被支持部（被基準部）Ｃ−１，Ｃ−２が、図示しない光学ハウジング４００の支持部（基準部）に当接して、Ｘ軸方向の位置決めがなされている。本変形例においては、この第１板バネ１１２もブラケット１１１によって一体支持されているので、光源ユニット１０１の光学ハウジング４００への取り付け作業が更に容易である。
【００５０】
以上に説明したものは一例であり、本発明は、次の態様毎に特有の効果を奏する。
（態様Ａ）
所定の方向に配列された複数の発光部ｃｈ１〜ｃｈ１６を内部に備える光源装置と、上記複数の発光部から照射される複数の走査光を、該複数の発光部の配列方向に傾斜する方向へ偏向する偏向器２０２等の光偏向手段と、上記光偏向手段及び上記光源装置を支持する光学ハウジング４００等の光源支持体とを有し、上記光偏向手段によって偏向された複数の走査光で感光体ドラム５０１，５０２，５０３，５０４の外周面等の被走査面を走査する光走査装置１００において、上記光源支持体は、上記光源装置から照射される走査光の光軸に平行な回転軸Ｐ（Ｘ軸）回りに該光源装置が回転可能なように該光源装置の被支持部Ａ−１，Ａ−２に該光源支持体のＶ字凹部４０１等の支持部上の２箇所Ｅ−１，Ｅ−２を当接させて、該光源装置を支持することを特徴とする。
これによれば、光源装置の回転軸（Ｘ軸）回りの回転中に、光源装置の被支持部の２箇所と光源支持体の支持部との当接箇所が安定する。したがって、光源装置の回転軸回りの角度調整中（γ調整中）に、光源装置の光軸位置が変位せず、走査線ピッチを均一化するためのγ調整が容易となる。
【００５１】
（態様Ｂ）
上記態様Ａにおいて、上記光源装置の上記被支持部Ａ−１，Ａ−２は、上記回転軸（Ｘ軸）に直交する断面の外形形状が、該回転軸を中心とした円周の一部である部分円弧形状であることを特徴とする。
これによれば、光源装置の回転軸（Ｘ軸）回りの回転中、光源装置の被支持部の２箇所と光源支持体の支持部との当接箇所を不動の点接触とすることが可能となる。よって、より走査線ピッチを均一化するためのγ調整が容易となる。
【００５２】
（態様Ｃ）
上記態様Ｃにおいて、上記光源支持体の支持部は、上記回転軸に直交する断面上で上記光源装置の上記被支持部に対して上記２箇所で点接触する形状を有することを特徴とする。
これによれば、光源装置の回転軸（Ｘ軸）回りの回転中、光源装置の被支持部の２箇所と光源支持体の支持部との当接箇所を不動の点接触とすることができ、走査線ピッチを均一化するためのγ調整の容易化を簡易に実現できる。
【００５３】
（態様Ｄ）
上記態様Ａ〜Ｃのいずれかの態様において、上記光源装置の被支持部に上記光源支持体の支持部上の２箇所を当接させた状態で該光源装置を上記回転軸回りに回転させて該光源装置の回転位置を調整する固定部材１１０等の回転位置調整手段を有することを特徴とする。
これによれば、組み付け後のγ調整を容易化できる。
【００５４】
（態様Ｅ）
上記態様Ｄにおいて、上記回転位置調整手段は、上記回転軸回りに上記光源装置を回転させる向きに該光源装置を付勢するスプリング１１４や弾性体ブロック１１７等の回転方向付勢部材と、該光源装置に当接して該回転方向付勢部材による該光源装置の回転を規制するとともに該回転軸回りに変位して該光源装置の回転位置を調整するγ調整ネジ１１５等の回転規制調整部材とから構成されており、上記回転方向付勢部材の付勢力が上記光源装置に作用する力点ＦＰ４等の地点と上記回転軸（光軸Ｐ）との距離が、上記回転規制調整部材が該光源装置に当接する力点ＦＰ５等の地点と該回転軸（光軸Ｐ）との距離と略等しいことを特徴とする。
これによれば、安定したγ調整が可能となる。
【００５５】
（態様Ｆ）
上記態様Ｄ又はＥにおいて、上記回転位置調整手段は、上記回転軸回りに上記光源装置を回転させる向きに該光源装置を付勢するスプリング１１４や弾性体ブロック１１７等の回転方向付勢部材と、該光源装置に当接して該回転方向付勢部材による該光源装置の回転を規制するとともに該回転軸回りに変位して該光源装置の回転位置を調整するγ調整ネジ１１５等の回転規制調整部材とから構成されており、上記回転方向付勢部材の付勢力が上記光源装置に作用する力点ＦＰ４等の地点と上記回転規制調整部材が該光源装置に当接する力点ＦＰ５等の地点とが、上記回転軸に対して直交する仮想面上に位置するように、構成されていることを特徴とする。
これによれば、意図しないα方向やγ方向に光源装置が回転してしまうのを抑制する効果が得られる。
【００５６】
（態様Ｇ）
上記態様Ａ〜Ｆのいずれかの態様において、上記光源支持体は、上記２箇所Ｅ−１，Ｅ−２を結ぶ軸（Ｙ軸）を回転中心として上記光源装置が回転（β回転）するのを規制するように、該光源装置の他の被支持部Ｂに該光源支持体の他の支持部（円弧状凹部４０２）を当接させて該光源装置を支持することを特徴とする。
これによれば、２箇所Ｅ−１，Ｅ−２を結ぶ軸（Ｙ軸）を回転中心とした光源装置の回転（β回転）を抑制できるので、このβ回転による光源装置の光軸の傾きを抑制でき、走査線の位置ズレを抑制できる。
【００５７】
（態様Ｈ）
上記態様Ｇにおいて、上記光源装置における上記他の被支持部は、上記回転軸に直交する断面の外形形状が、上記回転軸を中心とした円周の一部である部分円弧形状であることを特徴とする。
これによれば、γ調整時に光源装置を回転軸（Ｘ軸）回りで回転させても、光源装置の光軸が傾斜する事態を抑制できる。
【００５８】
（態様Ｉ）
上記態様Ｈにおいて、上記光源装置における上記他の被支持部の外形形状は、上記回転軸と略同軸の円筒軸を持った円筒形状の周方向一部分、又は、上記回転軸と略同軸の円錐軸を持った円錐形状の周方向一部分で構成されていることを特徴とする。
これによれば、簡易な構成により、γ調整時に光源装置を回転軸（Ｘ軸）回りで回転させても光源装置の光軸が傾斜する事態を抑制できる。
【００５９】
（態様Ｊ）
上記態様Ｈ又はＩにおいて、上記光源支持体における上記他の支持部は、上記回転軸に直交する断面の外形形状が、上記光源装置における上記他の被支持部の部分円弧形状と略同一の部分円弧形状をもった凹部で構成されていることを特徴とする。
これによれば、簡易な構成により、γ調整時に光源装置を回転軸（Ｘ軸）回りで回転させても光源装置の光軸が傾斜する事態を抑制できる。
【００６０】
（態様Ｋ）
上記態様Ｆにおいて、上記光源支持体における上記他の支持部の凹部は、その部分円弧形状が上記回転軸と同軸円の部分円弧形状であることを特徴とする。
これによれば、γ調整時に光源装置を回転軸（Ｘ軸）回りで回転させても光源装置の光軸が傾斜する事態をより安定して抑制できる。
【００６１】
（態様Ｌ）
上記態様Ｇ〜Ｋのいずれかの態様において、上記光源装置の被支持部に上記光源支持体の支持部上の２箇所を当接させた状態で該光源装置を上記回転軸回りに回転させて該光源装置の回転位置を調整する固定部材１１０等の回転位置調整手段を有し、上記回転位置調整手段は、上記回転軸回りに上記光源装置を回転させる向きに該光源装置を付勢する回転方向付勢部材と、該光源装置に当接して該回転方向付勢部材による該光源装置の回転を規制するとともに該回転軸回りに変位して該光源装置の回転位置を調整する回転規制調整部材とから構成されており、上記回転方向付勢部材の付勢力が上記光源装置に作用する地点と上記回転規制調整部材が該光源装置に当接する地点は、いずれも、該光源装置の上記被支持部と上記他の被支持部との間に位置するように、構成されていることを特徴とする。
これによれば、回転位置調整手段を利用して、光源装置の被支持部及び他の被支持部を、光源支持体の支持部及び他の支持部に安定して当接させることが可能となる。
【００６２】
（態様Ｍ）
上記態様Ｇ〜Ｌのいずれかの態様において、上記光源装置の被支持部を上記光源支持体の支持部に当接させる方向へ該光源装置を付勢する第２板バネ１１３等の当接方向付勢部材を有し、上記当接方向付勢部材の付勢力が上記光源装置に作用する力点ＦＰ１，ＦＰ２等の地点の回転軸方向位置が、該光源装置の上記被支持部と上記他の被支持部との間に位置するように、構成されていることを特徴とする。
これによれば、上記２箇所Ｅ−１，Ｅ−２を支点する光源装置の回転モーメントを、光源支持体の他の支持部Ｂ（円弧状凹部４０２）で受ける方向に、光源装置を当接方向付勢部材で付勢することが可能となる。
【００６３】
（態様Ｎ）
上記態様Ａ〜Ｍのいずれかの態様において、上記光源装置の光源ホルダ１０３等のケース及び上記光源支持体は、樹脂材料で形成されたものであることを特徴とする。
これによれば、当該光走査装置の製造が容易である。
【００６４】
（態様Ｏ）
上記態様Ａ〜Ｍのいずれかの態様において、上記光源装置のケース及び上記光源支持体は、金属材料で形成されたものであることを特徴とする。
これによれば、より剛性の高い光走査装置を製造でき、各種光学部品の高精度な位置決めが可能となる。
【００６５】
（態様Ｐ）
上記態様Ａ〜Ｏのいずれかの態様において、上記複数の発光部は、上記回転軸に対して直交する面上に２次元配列されていることを特徴とする。
これによれば、垂直共振器面発光型レーザ（ＶＣＳＥＬ）などを光源として用いた光走査装置を実現できる。
【００６６】
（態様Ｑ）
上記態様Ａ〜Ｏのいずれかの態様において、上記複数の発光部は、上記回転軸に対して直交する面上に直線状に配列されていることを特徴とする。
これによれば、より簡易な構成の光源を用いた光走査装置を実現できる。
【００６７】
（態様Ｒ）
上記態様Ａ〜Ｑのいずれかの態様において、上記複数の発光部における各発光部は、単一の発光素子によって構成されていることを特徴とする。
これによれば、より簡易な構成の光源を用いた光走査装置を実現できる。
【００６８】
（態様Ｓ）
上記態様Ａ〜Ｑのいずれかの態様において、上記複数の発光部は、複数の走査光を照射する発光素子を少なくとも１つを用いて構成されていることを特徴とする。
これによれば、より小型の光源を用いた光走査装置を実現できる。
【００６９】
（態様Ｔ）
上記態様Ａ〜Ｓのいずれかの態様において、上記光源支持体に対する上記光源装置の回転軸方向位置（Ｘ軸方向位置）を位置決めする該光源支持体の回転軸方向位置基準部に対し、該光源装置の被回転軸方向位置基準部Ｃ−１，Ｃ−２を当接させる方向へ該光源装置を付勢する第１板バネ１１２等の回転軸方向付勢部材を有し、上記回転軸方向付勢部材の回転軸方向への付勢力が上記光源装置に作用する力点ＦＰ１，ＦＰ２等の地点が、上記光偏向手段によって偏向される走査光によって形成される主走査面上に位置するように、構成されていることを特徴とする。
これによれば、回転軸方向付勢部材の付勢力により光源装置が上記回転軸に対して直交しかつ主走査面に平行な軸（Ｙ軸）回りに回転（β回転）するのを抑制できる。
【００７０】
（態様Ｕ）
上記態様Ａ〜Ｔのいずれかの態様において、上記光源支持体に対する上記光源装置の回転軸方向位置を位置決めする該光源支持体の回転軸方向位置基準部に対し、該光源装置の被回転軸方向位置基準部Ｃ−１，Ｃ−２を当接させる方向へ該光源装置を付勢する２つの第１板バネ１１２等の複数の回転軸方向付勢部材を含んでおり、上記複数の回転軸方向付勢部材の回転軸方向への付勢力が上記光源装置に作用することで該光源装置に生じる回転モーメントが実質的にゼロとなるように、構成されていることを特徴とする。
これによれば、回転軸方向付勢部材の付勢力により光源装置が上記回転軸に対して直交しかつ副走査面に平行な軸（Ｚ軸）回りに回転（α回転）するのを抑制できる。
【００７１】
（態様Ｖ）
上記態様Ａ〜Ｕのいずれかの態様において、上記光源装置の被支持部を上記光源支持体の支持部に当接させる方向へ該光源装置を付勢する第２板バネ１１３等の当接方向付勢部材を有し、上記当接方向付勢部材の付勢力が該光源装置に作用する力点ＦＰ１，ＦＰ２等の地点が、上記光偏向手段によって偏向される走査光によって形成される主走査面に対して直交しかつ上記回転軸を含むように規定される副走査面上に位置するように、構成されていることを特徴とする。
これによれば、当接方向付勢部材の付勢力が光源装置の回転軸回りの回転に与える影響を抑制でき、光源装置の回転軸回りの角度調整（γ調整）が容易となる。
【００７２】
（態様Ｗ）
上記態様Ａ〜Ｖのいずれかの態様において、上記光源支持体に対する上記光源装置を位置決めする該光源支持体の複数の基準部に対して各基準部に対応する該光源装置の被基準部を当接させる方向へ該光源装置を付勢する各種板バネ１１３，１１２、スプリング１１４、弾性体ブロック１１７等の複数の付勢部材を一体的に支持するブラケット１１１等の共通支持部材を有することを特徴とする。
これによれば、光源装置を光源支持体へ取り付ける作業が容易になる。
【００７３】
（態様Ｘ）
画像情報に応じた走査光で光走査装置により感光体を走査して該感光体上に潜像を形成し、該潜像を現像することにより得た画像を最終的に記録材上に転移させて該記録材上に画像を形成する画像形成装置において、上記光走査装置として、上記態様Ａ〜Ｗのいずれかの態様に係る光走査装置１００を用いることを特徴とする。
これによれば、走査線ピッチの粗密が抑制されるので、画像上に副走査方向における周期的な濃度ムラ（バンディング）が発生することを抑制できる。
【符号の説明】
【００７４】
１００  光走査装置
１０１  光源ユニット
１０２  光源
１０３  光源ホルダ
１０４  レーザ変調基板
１０５  １／４波長板
１０６  コリメートレンズ
１０７  アパーチャ
１０８Ａ  ミラー
１０８Ｂ  コリメートレンズ
１０９  フォトダイオード
１１０  固定部材
１１２  板バネ
１１４  スプリング
１１５  γ調整ネジ
２０２  偏向器
２０２ａ  上段回転多面鏡
２０２ｂ  下段回転多面鏡
２０３  偏向ビームスプリッタ
２０４  １／４波長板
２０５  シリンドリカルレンズ
３０１，３０２  出射レンズ
３０３ａ，３０３ｂ，３０３ｃ，３０４  ミラー
３０５  防塵ガラス
４００  光学ハウジング
４０１  Ｖ字凹部
４０２  円弧状凹部
５００  カラープリンタ
５０１，５０２，５０３，５０４  感光体ドラム
５１０  記録紙
６０６  中間転写ベルト
【先行技術文献】
【特許文献】
【００７５】
【特許文献１】特開２０１２−１４１５１８号公報
【図１】
2014134752.tif 000003
【図２】
2014134752.tif 000004
【図３】
2014134752.tif 000005
【図４】
2014134752.tif 000006
【図５】
2014134752.tif 000007
【図６】
2014134752.tif 000008
【図７】
2014134752.tif 000009
【図８】
2014134752.tif 000010
【図９】
2014134752.tif 000011
【図１０】
2014134752.tif 000012
【図１１】
2014134752.tif 000013
【図１２】
2014134752.tif 000014
【図１３】
2014134752.tif 000015
【図１４】
2014134752.tif 000016
【図１５】
2014134752.tif 000017
【図１６】
2014134752.tif 000018
【図１７】
2014134752.tif 000019
【図１８】
2014134752.tif 000020
【図１９】
2014134752.tif 000021